(57)【要約】【課題】衣類乾燥機において、リントがリントフィルターに付着堆積し、乾燥用空気の流れが妨げられ、衣類乾燥の性能が悪化するのを防ぐ。【解決手段】扉体１２０には第１リントフィルター５１０が設けられ、送風経路には第２リントフィルター４８２が設けられ、第１リントフィルター５１０および第２リントフィルター４８２は、横方向の風の流れに対して垂直に設けられているため、リントがフィルター面に堆積せず下部に落下してリントフィルターの空気通路面積が保たれることにより、乾燥用空気の風量が低下せず、衣類乾燥の性能を維持することができる。【選択図】図２
2014033841.tif 000002
【特許請求の範囲】
【請求項１】
衣類を収納する乾燥室と、
前記乾燥室に衣類を出し入れする投入口と、
前記投入口を閉鎖する扉体と、
乾燥用空気を前記乾燥室内に送る送風ファンと、
回転ドラム内に乾燥用空気を循環させるための送風経路とを備え、
前記扉体には第１リントフィルターが設けられ、
前記送風経路には第２リントフィルターが設けられ、
前記第１リントフィルターおよび前記第２リントフィルターは、横方向の風の流れに対して垂直に設けられた衣類乾燥機。
【請求項２】
前記第１リントフィルターの下方に前記第２リントフィルターが設けられ、前記第１リントフィルターから前記第２リントフィルターへつながる送風経路は、上方から下方へ向かう構成とした請求項１記載の衣類乾燥機。
【請求項３】
前記第１リントフィルターを通過したリントの一部および前記第２リントフィルターに付着したリントの一部が溜まるフィルターケースを第１リントフィルターの下方に設けた請求項１または２に記載の衣類乾燥機。
【請求項４】
前記第１リントフィルターは上下方向に着脱可能とし、前記第２リントフィルターは前後方向に着脱可能とした請求項１〜３のいずれか１項に記載の衣類乾燥機。
【発明の詳細な説明】
【技術分野】
【０００１】
本発明は、衣類を乾燥させる衣類乾燥機に関するものである。
【背景技術】
【０００２】
従来の衣類乾燥機は、衣類から発生するリントフィルターとよばれる糸くず捕集装置が設けられている（特許文献１参照）。従来例の構成およびその動作を図９に基づいて説明する。
【０００３】
図９は、従来の衣類乾燥機を示す断面図である。特許文献１において、衣類を収容する回転ドラム1００は、回転軸を水平に設けて回転する。前面側に開口部１４を設け、背面側は底部１６を有する有底筒状に構成されている。回転ドラム１００の前面側には、開口部１４を開閉する扉体１３が設けられている。使用者は、扉体１３を開け閉めすることで衣類を回転ドラム１００から出し入れすることができる。回転ドラム１００の背面側には送風ファン１８が設けられている。送風ファン１８の回転によって、乾燥用空気は、回転ドラム１００の背面側から前面側に向かって送風される。回転ドラム１００内の乾燥用空気は、扉体１３を通過し、回転ドラムの下方に設けられた通風経路１５を通過して再び送風ファン１８に到達する。このようにして、乾燥用空気は循環する。循環する乾燥用空気には、衣類から発生したリントが含まれており、リントが送風ファン１８や加熱部に到達して不具合を起こさないために、通風経路１５にはリントフィルター１５ａが設けられている。使用者が扉体１３を開放し、リントフィルター１５ａを通風通路１５から着脱することにより、リントフィルター１５ａに捕集されたリント等の異物は廃棄される。
【先行技術文献】
【特許文献】
【０００４】
【特許文献１】特開２００５−１７７５１３号公報
【発明の概要】
【発明が解決しようとする課題】
【０００５】
しかしながら、上記従来の構成の扉体にフィルターを設置すると、フィルターに糸くず（リント）が付着し堆積するため、乾燥用空気の流れを妨げ、乾燥性能を低下させることが問題となっていた。また、フィルターに付着して堆積した糸くずが抵抗となり、乾燥用空気がフィルターを通過できず最悪の場合はフィルターが破壊されるといった問題があった。
【０００６】
本発明は、上記従来の課題を解決するもので、糸くずがフィルター面に堆積せずに下部に落下して空気通路面積が保たれることにより、乾燥用空気の風量が低下せず、衣類乾燥性能を維持する衣類乾燥機を提供することを目的とする。
【課題を解決するための手段】
【０００７】
上記従来の課題を解決するために、本発明は、衣類を収納する乾燥室と、前記乾燥室に衣類を出し入れする投入口と、前記投入口を閉鎖する扉体と、乾燥用空気を前記乾燥室内に送る送風ファンと、回転ドラム内に乾燥用空気を循環させるための送風経路とを備え、前記扉体には第１リントフィルターが設けられ、前記送風経路には第２リントフィルターが設けられ、前記第１リントフィルターおよび前記第２リントフィルターは、横方向の風の流れに対して垂直に設けられたことを特徴とするものである。
【０００８】
これによって、糸くず（リント）を含んだ乾燥用空気が第１リントフィルターおよび第
２リントフィルターを通過する際、横方向の乾燥用空気の流れに対して垂直方向に配置されているため、糸くずがフィルター面から下部に落下し、糸くずがフィルター面に堆積しにくくなるので衣類乾燥の性能を維持することができる。
【発明の効果】
【０００９】
本発明の衣類乾燥機は、糸くず（リント）を含んだ乾燥用空気が第１リントフィルターおよび第２リントフィルターを通過する際、横方向の乾燥用空気の流れに対して垂直方向に配置されているため、糸くずがフィルター面から下部に落下し、糸くずがフィルター面に堆積しにくくなるので衣類乾燥の性能を維持することができる。
【図面の簡単な説明】
【００１０】
【図１】本発明の実施の形態１における衣類乾燥機の正面図
【図２】同衣類乾燥機の側断面図
【図３】同衣類乾燥機の背面斜視図
【図４】同衣類乾燥機のヒートポンプ装置の概略図
【図５】（ａ）同衣類乾燥機の扉体の正面斜視図（ｂ）同衣類乾燥機の扉体の背面斜視図
【図６】同衣類乾燥機の分解斜視図
【図７】同衣類乾燥機の一部分解斜視図
【図８】同衣類乾燥機の第２のリントフィルターの分解斜視図
【図９】従来の衣類乾燥機の断面図
【発明を実施するための形態】
【００１１】
請求項１に記載の発明は、衣類を収納する乾燥室と、前記乾燥室に衣類を出し入れする投入口と、前記投入口を閉鎖する扉体と、乾燥用空気を前記乾燥室内に送る送風ファンと、回転ドラム内に乾燥用空気を循環させるための送風経路とを備え、前記扉体には第１リントフィルターが設けられ、前記送風経路には第２リントフィルターが設けられ、前記第１リントフィルターおよび前記第２リントフィルターは、横方向の風の流れに対して垂直に設けられたことによって、糸くず（リント）を含んだ乾燥用空気が第１リントフィルターおよび第２リントフィルターを通過する際、横方向の乾燥用空気の流れに対して垂直方向に配置されているため、糸くずがフィルター面から下部に落下し、糸くずがフィルター面に堆積しにくくなるので衣類乾燥の性能を維持することができる。
【００１２】
請求項２に記載の発明は、請求項１に記載の発明において、前記第１リントフィルターの下方に前記第２リントフィルターが設けられ、前記第１リントフィルターから前記第２リントフィルターへつながる送風経路は、上方から下方へ向かう構成としたことを特徴とするものである。これにより、第１リントフィルターを通過した糸くずの一部が第１リントフィルターのフィルター面から下部に落下し、糸くずが第１リントフィルターのフィルター面に堆積しにくくなるので衣類乾燥の性能を維持することができる。
【００１３】
請求項３に記載の発明は、請求項１または請求項２に記載の発明において、前記第１リントフィルターを通過したリントの一部および前記第２リントフィルターに付着したリントの一部が溜まるフィルターケースを第１リントフィルターの下方に設けたことを特徴とするものである。これにより、第１リントフィルターを通過した糸くずの一部および第２リントフィルターから落下した糸くずの一部がフィルターケースに溜まるので、第１リントフィルターおよび第２リントフィルターのフィルター面に糸くずが堆積しにくくなり、衣類乾燥の性能を維持することができる。
【００１４】
請求項４に記載の発明は、請求項１〜３のいずれかに記載の発明において、前記第１リントフィルターは上下方向に着脱可能とし、前記第２リントフィルターは前後方向に着脱
可能としたことを特徴とするものである。糸くずが付着したリントフィルターの着脱方式や収納形態に応じて衣類乾燥機から取り外し分離することで、容易に糸くずが付着したリントフィルターを掃除することができ、また、リントフィルターから糸くずを除去できたことを確認しながら効率的に掃除を行え、リントフィルターの衛生性をより高めることができる。
【００１５】
以下、本発明の実施の形態について、図面を参考にしながら説明する。なお、この実施の形態によってこの発明が限定されるものではない。
【００１６】
（実施の形態１）
本発明の実施の形態に係る衣類乾燥機につき、図１〜図８を参照しながら以下に説明し本発明の理解に供する。以下の説明は本発明の具体例であって、特許請求の範囲の内容を限定するものではない。
【００１７】
以下、衣類乾燥機の概略構成が図１〜図４を用いて説明される。
【００１８】
図１は、本発明の実施の形態１における衣類乾燥機の正面図、図２は、本発明の実施の形態１における衣類乾燥機の側断面図、図３は、本発明の実施の形態１における衣類乾燥機の背面斜視図、図４は、本発明の実施の形態１における衣類乾燥機のヒートポンプ装置の概略図である。
【００１９】
衣類乾燥機１００は、筐体１１０を備える。衣類乾燥機１００は、筐体１１０内で、乾燥用空気を循環し、衣類を乾燥する乾燥機能を有する。筐体１１０は、前壁１１１と、前壁１１１とは反対側の後壁１１２と、前壁１１１と後壁１１２との間で立設された左壁１１３と、左壁１１３とは反対側の右壁１１４と、を含む。筐体１１０は、前壁１１１、後壁１１２、左壁１１３及び右壁１１４の上縁で囲まれる領域を閉塞する天壁１１５を更に含む。
【００２０】
前壁１１１には、投入口１１６が形成される。使用者は、投入口１１６を通じて、筐体１１０内に衣類を収容することができる。
【００２１】
衣類乾燥機１００は、前壁１１１に取り付けられた扉体１２０を更に備える。扉体１２０は、本体連結ヒンジ（図示せず）により、開位置と閉位置との間で回動することができる。図１に示される扉体１２０は、閉位置に存する。使用者は、扉体１２０に設けられている開閉用把手１２３を手前に引いて、扉体１２０を開位置に移動させ、投入口１１６を開放することができる。その後、使用者は、投入口１１６を通じて、筐体１１０内に衣類を収容することができる。使用者は、扉体１２０を閉位置に移動させ、投入口１１６を閉じることができる。このとき、扉ロックレバ（図示せず）により扉体１２０は閉位置に閉固定される。制御部（図示せず）は、扉ロックレバ（図示せず）が衣類乾燥機１００の本体側に閉止されたことを検知すると、衣類の乾燥が開始可能状態とする。その後、衣類は、回転ドラム３２０内で乾燥される。
【００２２】
衣類乾燥機１００は、操作パネル２０１を更に備える。操作パネル２０１は、前壁１１１の一部として用いられる。使用者は、操作パネル２０１を操作し、様々な運転コースを設定することができる。
【００２３】
衣類乾燥機１００は、操作パネル２０１から出力されたコース情報に応じて乾燥を実行する。使用者は、扉体１２０を開位置に移動させ、投入口１１６を通じて、回転ドラム３２０に衣類を投入することができる。
【００２４】
乾燥室としての回転ドラム３２０は有底円筒形状であり、回転ドラム３２０の回転軸心が水平となり、投入口１１６が正面側となるように配設されている。
【００２５】
衣類乾燥機１００の底面には、両軸駆動モータ３１０が設けられている。両軸駆動モータ３１０の前側回転駆動軸には、回転ドラム３２０を回転駆動するドラム駆動プーリ３１１が設けられている。回転ドラム３２０の外周には、ドラム駆動プーリ３１１に架設されたドラム駆動ベルト３１２が装着されている。両軸駆動モータ３１０の後側回転駆動軸には、送風ファン３３１を回転駆動するファン駆動プーリ３１３が設けられている。ファン駆動プーリ３１３に架設されたファン駆動ベルト３１４を介して、両軸駆動モータ３１０の駆動力が送風ファン３３１に伝えられる。
【００２６】
送風ファン３３１は、ヒートポンプ装置４２０の下流に配置される。送風ファン３３１を駆動することにより、上流送風経路４８０の乾燥用空気を吸引する一方で、ファンケース３３０の下流送風経路３３２に乾燥用空気を送り出す。両軸駆動モータ３１０の回転により、回転ドラム３２０内に収容された衣類は、回転方向に持ち上げられ、持ち上げられた適当な高さ位置から落下する撹拌動作が繰り返される。さらに、送風ファン３３１の回転によって乾燥用空気が循環ダクト４３０から回転ドラム３２０内に送られる。回転ドラム３２０の底面には通風孔として、φ５程度の多数の孔（図示せず）が開口されており、ファンケース３３０と繋がる下流送風経路３３２を構成している。
【００２７】
上述の如く、回転ドラム３２０は、衣類を撹拌している。したがって、回転ドラム３２０へ流入した乾燥用空気は、衣類に効率よく衝突する。この結果、衣類は、適切に乾燥される。
【００２８】
乾燥用空気を循環させる循環ダクト４３０は、リントを捕集するリントフィルター５００と、ヒートポンプ装置４２０と、送風ファンを格納するファンケース３３０とを含む。ファンケース３３０は、回転ドラム３２０と後壁１１２との間に設けられた裏板１１７に連結されている。また、リントフィルター５００は、扉体１２０に設けられた第１リントフィルター５１０と、衣類乾燥機１００の下方で、かつヒートポンプ装置４２０の上流に設けられた第２リントフィルター４８２とを有する。循環ダクト４３０は、第１リントフィルター５１０および第２リントフィルター４８２の間に位置する上流送風経路４８０を含む。
【００２９】
衣類乾燥機１００は、循環ダクト４３０内で、回転ドラム３２０を通過した乾燥用空気と熱交換するヒートポンプ装置４２０を含む。ヒートポンプ装置４２０は、回転ドラム３２０から送風ファン３３１へ流れる乾燥用空気の流動経路上に配置される。ヒートポンプ装置４２０は、送風ファン３３１に向かって流れる空気と熱を交換し、高温かつ乾燥した空気を作り出す。
【００３０】
ヒートポンプ装置４２０は、空気を除湿する除湿部４２１と、空気を加熱する加熱部４２２と、を含む。第１リントフィルター５１０を通過した乾燥用空気は、除湿部４２１を通過する。この結果、空気の湿度は低下する。その後、乾燥用空気は、加熱部４２２を通過する。この結果、空気は加熱される。かくして、ヒートポンプ装置４２０は、回転ドラム３２０を通過した乾燥用空気と熱交換し、衣類を乾燥させるための乾燥用空気を作り出すことができる。
【００３１】
図４を参照して、ヒートポンプ装置４２０の詳細が説明される。
【００３２】
ヒートポンプ装置４２０は、作動媒体を圧縮するコンプレッサ４２３と、作動媒体を減圧する膨張弁４２４と、膨張弁４２４からコンプレッサ４２３へ流れる作動媒体を案内す
る第１循環チューブ４２５と、コンプレッサ４２３から膨張弁４２４へ流れる作動媒体を案内する第２循環チューブ４２６と、を含む。第１循環チューブ４２５及び第２循環チューブ４２６は、コンプレッサ４２３と膨張弁４２４とを通過する閉ループを形成する。第１循環チューブ４２５を流れる作動媒体は、膨張弁４２４による減圧によって低温となる。第２循環チューブ４２６を流れる作動媒体は、コンプレッサ４２３による圧縮によって高温となる。第１循環チューブ４２５及び第２循環チューブ４２６は、送風機４１０によって吸引される空気を案内する循環ダクト４３０内に突出する。
【００３３】
第１循環チューブ４２５は、循環ダクト４３０内で、多数回折り返された流路を規定する。ヒートポンプ装置４２０は、循環ダクト４３０内で折り返された第１循環チューブ４２５に取り付けられた多数のフィン４２７を含む。循環ダクト４３０内の第１循環チューブ４２５及びフィン４２７は、上述の除湿部４２１として用いられる。
【００３４】
第２循環チューブ４２６は、循環ダクト４３０内で、多数回折り返された流路を規定する。ヒートポンプ装置４２０は、循環ダクト４３０内で折り返された第２循環チューブ４２６に取り付けられた多数のフィン４２８を含む。循環ダクト４３０内の第２循環チュー
循環ダクト４３０内を流れる乾燥用空気は、低温の作動媒体によって冷却された第１循環チューブ４２５及びフィン４２７によって冷却される。この結果、乾燥用空気中の湿気は、第１循環チューブ４２５及びフィン４２７上で結露する。したがって、乾燥用空気は、除湿される。
【００３５】
その後、乾燥用空気は、高温の作動媒体によって加熱された第２循環チューブ４２６及びフィン４２８によって加熱される。したがって、乾燥用空気は、高温になり、衣類の乾燥に適した乾燥用空気となる。上述の如く、除湿部４２１及び加熱部４２２は、循環ダクト４３０内を流れる空気と熱交換し、乾燥用空気を作り出す。したがって、除湿部４２１及び加熱部４２２は、熱交換器として例示される。
【００３６】
送風ファン３３１は、ヒートポンプ装置４２０によって作り出された乾燥用空気吸引する一方で、ファンケース３３０の下流送風経路３３２に乾燥用空気を送り出す。この結果、乾燥用空気は、裏板１１７の開口部４３２を通じて、回転ドラム３２０の底面と裏板１１７の間の空間に流入する。
【００３７】
その後、乾燥用空気は、回転ドラム３２０の底壁３２１に形成された多数の通気孔（図示せず）を通じて、回転ドラム３２０内に流入する。乾燥用空気が回転ドラム３２０を通過する間、衣類は、乾燥用空気に衝突し、乾燥される。したがって、回転ドラム３２０から排出される乾燥用空気は、高い湿度となる。また、衣類から発生したリントや衣類に付着した髪の毛といった塵埃が、回転ドラム３２０から排出される乾燥用空気中で浮遊することとなる。
【００３８】
その後、図５（ｂ）の墨矢印のとおり、乾燥用空気は、扉体１２０の背面側に取り付けられた収容部１２１の扉体送風孔１２２に送られる。扉体送風孔１２２に送られた乾燥用空気は、第１リントフィルター５１０を通過する。このとき、第１リントフィルター５１０にて、乾燥用空気を浮遊するリントが捕集されて除去される。
【００３９】
第１リントフィルターを通過した乾燥用空気は、上方に位置する第１リントフィルターから下方に位置する第２リントフィルターに向かう上流送風経路４８０を通過し、第２リントフィルター４８２を通過する。第１リントフィルター５１０を通過したリントが、第２リントフィルター４８２にて捕集されて除去される。なお、第１リントフィルター５１０は、乾燥用空気の横向きの流れ方向に対してほぼ垂直に設けられているので、第１リントフィルター５１０に付着したリントの一部または第１リントフィルター５１０を通過し
たリントの一部が下方に落ちるので、第１リントフィルター５１０はリントで詰まりにくくなっている。
【００４０】
その後、乾燥用空気は、ヒートポンプ装置４２０に流入し、除湿および加温がなされる。除湿されて高温となった乾燥用空気は、吸引導出口４２９を経由して、再び送風ファン３３１に吸引されて下流送風経路３３２に送り出される。図２の白抜き矢印の流れのとおり、乾燥用空気は循環ダクト４３０と回転ドラム３２０内とを循環する。
【００４１】
以下、図５〜図８を用いてリントフィルター５００の構成が説明される。
【００４２】
図５は、本発明の実施の形態１における衣類乾燥機の扉体の正面斜視図および裏面斜視図、図６は、本発明の実施の形態１における衣類乾燥機の分解斜視図、図７は、本発明の実施の形態１における衣類乾燥機の一部分解斜視図、図８は、本発明の実施の形態１における衣類乾燥機の第２のリントフィルターの分解斜視図である。
【００４３】
塵埃を捕集するリントフィルター５００は、第１リントフィルター５１０と、第２リントフィルター４８２とを含む。第１リントフィルター５１０は、扉体１２０が開放された状態で、扉体の上方から挿入されて、着脱可能に構成されている。
【００４４】
上流送風経路４８０の下流側で、ヒートポンプ装置４２０と接続する吸引導入口４８１には、第２リントフィルター４８２が設けられている。第２リントフィルター４８２は、スポンジ部材から構成されている。第１リントフィルター５１０および第２リントフィルター４８２は、共に、取り出して、堆積したリントを除去することにより、メンテナンスが可能である。循環する乾燥用空気に含まれるリントは、第１リントフィルター５１０にてほぼ取り除くことが可能である。
【００４５】
第２リントフィルター４８２は、フィルターケース４８３に取り付けられ、回動して開閉可能な前蓋部４８５を前方に回動して開いたのち、フィルターケース４８３の把手部４８４を前方に引き出すことで着脱可能となっており、第２リントフィルターのメンテナンスが可能となっている。第１リントフィルター５１０を通過したリントが、第２リントフィルター４８２にて捕集されて除去される。
【００４６】
なお、第２リントフィルター４８２は、乾燥用空気の横向きの流れ方向に対してほぼ垂直に設けられているので、第１リントフィルター５１０を通過したリントの一部または第２リントフィルター４８２に付着したリントの一部が下方に落ちてフィルターケース４８３の下方に溜まることとなり、第２リントフィルター４８２はリントで詰まりにくくなっている。
【００４７】
図６に示すように、第１リントフィルター５１０は、リントを捕集、除去するメッシュフィルター５１１（フィルター部）と、メッシュフィルター５１１を固定、保持する枠部５１２を有する。第１リントフィルター５１０の背面側には、シーリング部としてのシールパッキン５１３が設けられている。シールパッキン５１３は、収容部１２１の圧接壁１２６と接して、気密性を保持している。シーリング部は、扉体１２０と第１リントフィルター５１０との気密性が保たれるように構成されればよいので、扉体１２０側に設けることとしてもよい。
【００４８】
第１リントフィルター５１０の上部には、収容部１２１に第１リントフィルター５１０を固定、施錠するロック部５１４が設けられている。ロック部５１４は、扉体１２０に第１リントフィルター５１０を施錠する施錠機構５１６と、施錠機構５１６を左右に移動させる操作部５１７とを有する。第１リントフィルター５１０は、ロック部５１４が中央に
位置する状態を閉とし、右にスライドさせて右に位置する状態を開となるように構成されている。
【００４９】
収容部１２１の下方には、上流送風経路４８０に連通する連通口１３０が設けられている。送風ファン３３１により循環する乾燥用空気は、第１リントフィルター５１０を通過した後、連通口１３０から上流送風経路４８０を通過する。
【００５０】
連通口１３０の下方には、上流送風経路４８０を経てフィルターケース４８３が設けられており、図２、図７および図８で示すとおり、図８の矢印のとおり、フィルターケース４８３に乾燥用空気が流れ込み、第２のリントフィルター４８２に向かって乾燥用空気が流れ、第１リントフィルター５１０を通過したリントが、第２リントフィルター４８２にて捕集されて除去される。第２リントフィルター４８２を通過した乾燥用空気は、その後、ヒートポンプ装置４２０に流入し、除湿および加温がなされる。除湿されて高温となった乾燥用空気は、吸引導出口４２９を経由して、再び送風ファン３３１に吸引されて下流送風経路３３２に送り出される。図２の白抜き矢印の流れのとおり、乾燥用空気は循環ダクト４３０と回転ドラム３２０内とを循環する。
【００５１】
なお、図２に示すように、本発明の実施の形態に係る空調・ファンユニットはヒートポンプ式乾燥機に適用した場合の一例であり、単なる加熱ヒータと水冷除湿を組み合わせた構成でもよく、これに限られることはない。
【産業上の利用可能性】
【００５２】
以上のように、本発明にかかる衣類乾燥機は、取り外し可能なリントフィルターを設けて着脱を容易にするとともに、リントフィルターへのリントの付着を抑制できるため、衣類乾燥性能の悪化防止の観点から、衣類の乾燥機能を有した機器に対して有用である。
【符号の説明】
【００５３】
１００  衣類乾燥機
１１０  筐体
１１６  投入口
１２０  扉体
１２２  扉体送風孔
１２３  開閉用把手
１３０  連通口
３２０  回転ドラム（乾燥室）
３３０  ファンケース
３３１  送風ファン
３３２  下流送風経路
４２０  ヒートポンプ装置
４２１  除湿部
４２２  加熱部
４２９  吸引導出口
４３０  循環ダクト
４８０  上流送風経路
４８１  吸引導入口
４８２  第２リントフィルター
５００  リントフィルター
５１０  第１リントフィルター
５１１  メッシュフィルター（フィルター部）
５１２  枠部
５１３  シールパッキン（シーリング部）
【図１】
2014033841.tif 000003
【図２】
2014033841.tif 000004
【図３】
2014033841.tif 000005
【図４】
2014033841.tif 000006
【図５】
2014033841.tif 000007
【図６】
2014033841.tif 000008
【図７】
2014033841.tif 000009
【図８】
2014033841.tif 000010
【図９】
2014033841.tif 000011